(57)【要約】  ハウジングおよび軸が軸方向に相対変位する機構に限定されず、ハウジングおよび軸が軸方向に相対変位するとともにハウジングおよび軸が相対回転する機構にも用いることができる緩衝ストッパーを提供する。この目的を達成するため、ハウジング側に設けた端面部と、ハウジングに対し軸方向変位し且つ回転する軸側に設けた端面部との間の空間部に装着される緩衝ストッパーであって、いずれか一方の端面部に保持される金具と、金具に連結された弾性体と、弾性体に連結された摺動部材とを有する。摺動部材は、他方の端面部に対し接離可能に接触するとともに、当該摺動部材が他方の端面部に接触した状態で軸が回転したときに、他方の端面部に対し摺動回転可能とされている。摺動部材は、樹脂製部品よりなる。
2017154857.tif 000002
【特許請求の範囲】
【請求項１】
ハウジング側に設けた端面部と、前記ハウジングに対し軸方向変位し且つ回転する軸側に設けた端面部との間の空間部に装着される緩衝ストッパーであって、
いずれか一方の前記端面部に保持される金具と、前記金具に連結された弾性体と、前記弾性体に連結された摺動部材とを有し、
前記摺動部材は、他方の前記端面部に対し接離可能に接触するとともに、当該摺動部材が他方の前記端面部に接触した状態で前記軸が回転したときに、他方の前記端面部に対し摺動回転可能とされていることを特徴とする緩衝ストッパー。
【請求項２】
請求項１記載の緩衝ストッパーにおいて、
前記摺動部材は、樹脂製部品よりなることを特徴とする緩衝ストッパー。
【発明の詳細な説明】
【技術分野】
【０００１】
本発明は、緩衝機能およびストッパー機能を併有する緩衝ストッパーに関する。本発明の緩衝ストッパーは例えば、自動車用機器の分野においてステアリング装置などに組み込まれ、または産業用機器の分野などで用いられる。
【背景技術】
【０００２】
従来から図２に示す緩衝ストッパー５１が知られており、この緩衝ストッパー５１は、ハウジング６１側に設けた端面部６３と、軸７１側に設けた端面部７３との間の空間部に装着されるものであって、軸７１側の端面部７３に保持される金具５２と、この金具５２に連結された弾性体５３との組み合わせよりなるものとされている。軸７１は、ハウジング６１に対し軸方向に相対変位するものとされている。弾性体５３は、ハウジング６１側の端面部６３に対し接離可能に接触するものとされている。【０００３】
図２の状態で、両端面部６３，７３間の間隔が狭まる方向に軸７１がハウジング６１に対して軸方向に相対変位すると、弾性体５３が圧縮され、圧縮変形に伴う緩衝機能が発揮される。弾性体５３の圧縮変形が限度に達すると、変位が停止し、ストッパー機能が発揮される。
【先行技術文献】
【特許文献】
【０００４】
【特許文献１】特許第４２５５８３２号公報
【発明の概要】
【発明が解決しようとする課題】
【０００５】
しかしながら、上記構成の緩衝ストッパー５１では、弾性体５３が圧縮変形したとき、この弾性体５３がハウジング６１および金具５２間の隙間ｃに挟み込まれ、破損することが懸念される。【０００６】
弾性体５３の挟み込みによる破損を防止するには、参考例として図３に示すように、弾性体５３の先端側にも金具５４を連結し、弾性体５３を一対の金具５２，５４の間で圧縮変形させることが考えられる。尚、この図３の例では、緩衝ストッパー５１はハウジング６１側に固定されており、軸７１が変位すると、軸７１側の端面部７３が金具５４に衝突する。【０００７】
しかしながら、金具５４はその材質上高摩擦であって、軸７１側の端面部７３に対し円滑に摺動しにくいものである。【０００８】
したがって、この図３の緩衝ストッパー５１をハウジング６１および軸７１が相対回転する機構に用いる場合には、金具５４が円滑に摺動しないために弾性体５３に捩れが発生し、この捩れにより弾性体５３が破損するおそれがある。【０００９】
したがって、この図３の緩衝ストッパー５１はその用途が、ハウジング６１および軸７１が軸方向に相対変位する機構に限定されてしまい、ハウジング６１および軸７１が軸方向に相対変位するとともに相対回転する機構に用いることができない。【００１０】
本発明は以上の点に鑑みて、ハウジングおよび軸が軸方向に相対変位する機構に限定されず、ハウジングおよび軸が軸方向に相対変位するとともにハウジングおよび軸が相対回転する機構にも用いることができる緩衝ストッパーを提供することを目的とする。
【課題を解決するための手段】
【００１１】
上記目的を達成するため、本発明の緩衝ストッパーは、ハウジング側に設けた端面部と、前記ハウジングに対し軸方向変位し且つ回転する軸側に設けた端面部との間の空間部に装着される緩衝ストッパーであって、いずれか一方の前記端面部に保持される金具と、前記金具に連結された弾性体と、前記弾性体に連結された摺動部材とを有し、前記摺動部材は、他方の前記端面部に対し接離可能に接触するとともに、当該摺動部材が他方の前記端面部に接触した状態で前記軸が回転したときに、他方の前記端面部に対し摺動回転可能とされていることを特徴とする。【００１２】
ハウジングに対し軸が回転したときに弾性体に捩れが生じないようにするには、緩衝ストッパーがハウジング側に取り付けられる場合には、軸の回転トルクが弾性体に伝わりにくい状況とすれば良く、緩衝ストッパーが軸側に取り付けられる場合には、弾性体が軸とともに回転しやすい状況とすれば良い。したがってこのような観点から本発明では、弾性体に摺動部材を連結し、この摺動部材を相手部品（軸またはハウジング）に接触させるようにした。【００１３】
すなわち、緩衝ストッパーがハウジング側に取り付けられる場合には、摺動部材が軸側に接触し相対的に摺動回転する。したがって軸の回転トルクが弾性体に伝わりにくい状況となる。【００１４】
また、緩衝ストッパーが軸側に取り付けられる場合には、摺動部材がハウジング側に接触し摺動回転する。したがって弾性体が軸とともに回転しやすい状況となる。【００１５】
摺動部材としては、金具と比較して低摩擦の、樹脂製部品よりなるものとするのが好適である。
【発明の効果】
【００１６】
本発明においては、弾性体に摺動部材が連結されるため、ハウジングおよび軸が軸方向に相対変位する機構に限定されず、ハウジングおよび軸が軸方向に相対変位するとともにハウジングおよび軸が相対回転する機構にも用いることができる緩衝ストッパーを提供することができる。
【図面の簡単な説明】
【００１７】
【図１】本発明の実施例に係る緩衝ストッパーの装着および作動状態を示す断面図
【図２】従来例に係る緩衝ストッパーの断面図
【図３】参考例に係る緩衝ストッパーの断面図
【発明を実施するための形態】
【００１８】
本発明には、以下の実施形態が含まれる。
（１）本発明では、従来の金属リングに代わるものとして、低摩擦で摺動可能な材料（例えばポリアセタール、ポリアミド等）を適用し、相手部品と摺動可能とし、ハウジングおよび軸が相対回転する機構への適用が可能となる。
（２）本発明では、ハウジングおよび軸が相対回転する機構でも、相手部品が衝突あるいは振動する場合のエネルギー吸収や打音低減をすることが可能となる。
（３）本発明では、弾性体を用いた緩衝ストッパーにおいて、リングに低摩擦で摺動可能な材料を適用することで、ハウジングおよび軸が相対回転する機構でもエネルギーや振動を吸収・低減可能な性能を有する。また、単純に軸方向や回転方向のみの入力ではなく、複合的な入力に対してもエネルギーや振動低減が可能となる。
【実施例】
【００１９】
つぎに本発明の実施例を図面にしたがって説明する。【００２０】
図１（Ａ）に示すように、当該実施例に係る緩衝ストッパー１１は、ハウジング６１の軸孔６２奥端部に設けた端面部６３と、前記軸孔６２に挿通されるとともにハウジング６１に対し軸方向に変位し且つ回転する軸７１の先端部に設けた端面部７３との間の空間部に装着される。【００２１】
緩衝ストッパー１１は、ハウジング６１に固定されるとともにハウジング側の端面部６３に保持される平板環状の金具１２と、この金具１２に連結されたゴム状弾性体よりなる環状の弾性体１３と、弾性体１３に連結された摺動部材１４とを有している。【００２２】
摺動部材１４は、金具と比較して低摩擦の樹脂製部品によって環状に形成されている。樹脂材質の具体例としては、ポリアセタールまたはポリアミド等を挙げることができる。摺動部材１４は、軸７１に対し接離可能に接触するとともに、当該摺動部材１４が軸７１に接触した状態で軸７１が回転したときに、軸７１に対し円滑に摺動回転可能とされており、このため、軸側の端面部７３に対し接触および摺動可能な軸直角平面状の端面１４ａを有している。【００２３】
図１（Ｂ）に示すように、上記構成の緩衝ストッパー１１がハウジング６１側に装着された状態で軸７１がハウジング６１に対し軸方向に変位すると（矢印Ｃ）、図１（Ａ）に示したように摺動部材１４が軸側の端面部７３に接触し、弾性体１３が圧縮され、反力が発生することにより緩衝機能が発揮される。弾性体１３の圧縮が限度に達すると、ストッパー機能（メカストッパー機能）が発揮され、軸７１の変位が停止する。【００２４】
また、軸７１の変位中もしくは変位後に軸７１が回転する場合には（矢印Ｄ）、回転トルクが軸７１から摺動部材１４に伝達されるが、摺動部材１４は軸７１に対し円滑に摺動回転するものである。したがって弾性体１３に捩れが発生せず、よって弾性体１３に捩れの発生による破損や耐久性の低下が発生するのを防止することができる。【００２５】
尚、緩衝ストッパー１１の取付構造として、緩衝ストッパー１１は軸７１側に固定されるものであっても良く、すなわち軸７１に固定されるとともに軸側の端面部７３に保持される平板環状の金具１２と、この金具１２に連結されたゴム状弾性体よりなる環状の弾性体１３と、弾性体１３に連結された摺動部材１４とを有するものであっても良い。
【符号の説明】
【００２６】
１１  緩衝ストッパー
１２  金具
１３  弾性体
１４  摺動部材
１４ａ  端面
６１  ハウジング
６２  軸孔
６３，７３  端面部
７１  軸
【図１】
2017154857.tif 000003
【図２】
2017154857.tif 000004
【図３】
2017154857.tif 000005
【国際調査報告】
2017154857.tif 000006
2017154857.tif 000007